(57)【要約】【課題】例えば液晶表示装置等の駆動装置において、表示の際のディスクリネーションラインの発生を防止することで、画質を向上させる。【解決手段】駆動装置は、複数の画素が配列されてなる画素領域（１０ａ）で表示されるべき画像を画素単位で示す元画像信号を補正し、補正後画像信号として画素領域を有する電気光学装置に供給することで、電気光学装置を駆動する駆動装置であって、複数の画素のうち相隣接する二つの画素間における、元画像信号の階調の差分を算出する算出手段（１２０）と、算出された差分が小さくなるように元画像信号を補正する補正手段（１４０）と、補正された元画像信号を補正後画像信号として、電気光学装置に所定方式で供給する信号供給手段とを備える。【選択図】図５
2009104053.tif 000002
【特許請求の範囲】
【請求項１】
複数の画素が配列されてなる画素領域で表示されるべき画像を画素単位で示す元画像信号を補正し、補正後画像信号として前記画素領域を有する電気光学装置に供給することで、前記電気光学装置を駆動する駆動装置であって、
前記複数の画素のうち相隣接する二つの画素間における、前記元画像信号の階調の差分を算出する算出手段と、
前記算出された差分が小さくなるように前記元画像信号を補正する補正手段と、
該補正された元画像信号を補正後画像信号として、前記電気光学装置に所定方式で供給する信号供給手段と
を備えることを特徴とする電気光学装置の駆動装置。
【請求項２】
前記補正手段は、
前記算出された差分に応じて、前記元画像信号を構成する前記二つの画素に対応する二つの信号部分のうち、一方の信号部分に係る前記階調が、他方の信号部分に係る前記階調に近付くように補正するための補正量を決定する補正量決定手段と、
前記決定された補正量に基づいて、前記一方の信号部分を補正する部分補正手段と
を備えることを特徴とする請求項１に記載の電気光学装置の駆動装置。
【請求項３】
前記補正量決定手段は、前記算出された差分に所定の補正係数を乗ずることで、前記補正量を算出することを特徴とする請求項２に記載の駆動装置。
【請求項４】
前記所定の補正係数は、前記二つの画素が一の方向に隣接する場合及び前記一の方向と交わる他の方向に隣接する場合で別々に設定されていることを特徴とする請求項３に記載の駆動装置。
【請求項５】
前記補正量決定手段は、前記一方の信号部分として、前記二つの信号部分のうち前記階調が明るい方又は暗い方のいずれかを選択するように設定されていることを特徴とする請求項２から４のいずれか一項に記載の駆動装置。
【請求項６】
前記補正量決定手段は、前記一方の信号部分として、前記二つの信号部分のうち前記階調が明るい方又は暗い方のいずれかを選択する選択手段を有することを特徴とする請求項２から４のいずれか一項に記載の駆動装置。
【請求項７】
前記算出手段は、前記二つの信号部分に係る前記階調が、いずれも所定範囲内である場合に、前記差分を算出することを特徴とする請求項２から６のいずれか一項に記載の駆動装置。
【請求項８】
前記二つの信号部分のうち、少なくとも一方を記憶する記憶手段を更に備え、
前記算出手段は、前記記憶手段に記憶された少なくとも一方の信号部分を用いて、前記差分を算出する
ことを特徴とする請求項２から７のいずれか一項に記載の駆動装置。
【請求項９】
複数の画素が配列されてなる画素領域で表示されるべき画像を画素単位で示す元画像信号を補正し、補正後画像信号として前記画素領域を有する電気光学装置に供給することで、前記電気光学装置を駆動する駆動方法であって、
前記複数の画素のうち相隣接する二つの画素間における、前記元画像信号の階調の差分を算出する算出工程と、
前記算出された差分が小さくなるように前記元画像信号を補正する補正工程と、
該補正された元画像信号を補正後画像信号として、前記電気光学装置に所定方式で供給する信号供給工程と
を備えることを特徴とする電気光学装置の駆動方法。
【請求項１０】
請求項１から８のいずれか一項に記載の駆動装置を具備してなることを特徴とする電気光学装置。
【請求項１１】
請求項１０に記載の電気光学装置を具備してなることを特徴とする電子機器。
【発明の詳細な説明】
【技術分野】
【０００１】
本発明は、例えば液晶表示装置等を駆動する駆動装置及び駆動方法、並びに該駆動装置を備えた電気光学装置、及び該電気光学装置を備えた、例えば液晶プロジェクタ等の電子機器の技術分野に関する。
【背景技術】
【０００２】
この種の駆動装置として、例えば液晶表示装置等の表示装置を駆動する場合に、表示の際のディスクリネーションラインと呼ばれる表示ムラの発生を防止して画質を向上させるものがある。ディスクリネーションラインは、隣接画素間、或いは画素領域において輝度の低下によって部分的に暗くなったり、光漏れにより明るくなってしまう表示ムラであり、液晶に印加される電界の乱れに起因して発生する。例えば、基板面に垂直な縦電界の印加が想定されている場合における想定外の横電界の発生に起因して、顕在化しやすい。このため、例えば特許文献１では、駆動極性を反転させつつ液晶表示装置を駆動する場合において、相隣接する画素に印加される電圧の極性が、互いに逆となる時間を短くするように駆動することにより、ディスクリネーションラインの発生を防止する技術が開示されている。
【０００３】
【特許文献１】特開平１１−２９５６９７号公報
【発明の開示】
【発明が解決しようとする課題】
【０００４】
しかしながら、上述した技術においては、駆動極性が逆となってしまう期間が少なからず存在するため、そのような期間においてディスクリネーションラインが発生してしまう。また、極性が逆とならない期間であっても、表示する階調の違いによって隣接する画素間に電位差が生じるため、同様にディスクリネーションラインが発生してしまうおそれがある。即ち、上述した技術によれば、電界の乱れや想定外の横電界の発生による、液晶の配向の乱れを、十分に小さくすることが困難であるという技術的問題点がある。
【０００５】
本発明は、例えば上述した問題点に鑑みなされたものであり、表示の際のディスクリネーションラインの発生を防止することで、画質を向上させることが可能な駆動装置及び駆動方法、並びに該駆動装置を備えた電気光学装置、及び該電気光学装置を備えた電子機器を提供することを課題とする。
【課題を解決するための手段】
【０００６】
本発明の駆動装置は上記課題を解決するために、複数の画素が配列されてなる画素領域で表示されるべき画像を画素単位で示す元画像信号を補正し、補正後画像信号として前記画素領域を有する電気光学装置に供給することで、前記電気光学装置を駆動する駆動装置であって、前記複数の画素のうち相隣接する二つの画素間における、前記元画像信号の階調の差分を算出する算出手段と、前記算出された差分が小さくなるように前記元画像信号を補正する補正手段と、該補正された元画像信号を補正後画像信号として、前記電気光学装置に所定方式で供給する信号供給手段とを備える。
【０００７】
本発明に係る駆動装置によれば、その動作時に、先ず複数の画素が配列されてなる画素領域で表示されるべき画像を画素単位で示す元画像信号が入力される。元画像信号が入力されると、例えばプロセッサ、メモリ等を有する算出手段によって、複数の画素のうち相隣接する二つの画素間における、元画像信号に係る階調の差分が算出される。差分は、典型的には、複数の画素全てについて算出されるが、所定の画素についてのみ算出されてもよい。
【０００８】
続いて、例えばプロセッサ、メモリ等を有する補正手段により、算出された差分が小さくなるように元画像信号が補正される。例えば、差分を算出した二つの元画像信号のいずれか一方の階調が、他方の元画像信号の階調に近付くように補正される。或いは、両方の元画像信号を互いに階調が近付くように補正してもよい。上述した補正は、典型的には、元画像信号の電圧を変化させることによって行われる。即ち、補正することによって、隣接する画素間の電位差は小さくなる。
【０００９】
補正された補正後画像信号は、例えばプロセッサ、メモリ、電源等を有する信号供給手段によって、電気光学装置に所定方式で供給される。例えば、走査線別にシリアルな画素信号のフォーマットや、これに加えて複数本のデータ線を同時駆動する場合におけるシリアル−パラレル変換（或いは相展開）された画像信号のフォーマットで供給される。これにより、電気光学装置が駆動され、画像が表示されることとなる。尚、典型的には、駆動装置からは、このような補正後画像信号の所定方式による供給に同期して、走査信号が供給される。但し、このような走査信号は、当該駆動装置とは別に用意された走査線駆動回路から、供給されてもかまわない。
【００１０】
ここで仮に、上述したような補正が行われないとすると、隣接する画素間に比較的大きな電位差が生じることとなる。このような電位差は、例えば横電界等を発生させる原因となり、このような横電界は、画素領域においてディスクリネーションラインを発生させる原因となる。特に、縦電界で駆動されることが想定されている電気光学装置の場合には、想定外の横電界の発生により、ディスクリネーションラインが顕著に発生し得る。ディスクリネーションラインが発生してしまうと、画素領域において、部分的に暗い部分や明るい部分が存在することとなり、結果として表示ムラが発生してしまう。即ち、画質が低下してしまう。
【００１１】
しかるに本発明では特に、上述したように、元画像信号を補正することで、隣接する画素間の電位差を小さくすることが可能である。よって、ディスクリネーションラインの発生を防止することが可能である。尚、元画像信号の階調の差分が小さくなるように補正すると、表示される画像は、多少ぼやけるように補正されてしまう。しかしながら、ディスクリネーションラインによる画質の低下が改善される分を考慮すると、全体として画質は向上される。特に、表示の高精細化のために画素が小さく構成されている電気光学装置を駆動する場合においては、補正によるぼやけは、視覚的に殆ど或いは全く感じられないまでに低減される。これに対し、ディスクリネーションラインは、例えば画面上に暗い線や明るい線として現れるため、非常に目に付きやすい。従って、ディスクリネーションラインの発生を防止することで、効果的に画質を向上させることが可能である。
【００１２】
以上説明したように、本発明に係る駆動装置によれば、隣接する画素間において、元画像信号の階調の差分を算出することで、好適に元画像信号を補正することが可能である。よって、表示の際のディスクリネーションラインの発生を防止し、画質を向上させることが可能である。
【００１３】
本発明の駆動装置の一態様では、前記補正手段は、前記算出された差分に応じて、前記元画像信号を構成する前記二つの画素に対応する二つの信号部分のうち、一方の信号部分に係る前記階調が、他方の信号部分に係る前記階調に近付くように補正するための補正量を決定する補正量決定手段と、前記決定された補正量に基づいて、前記一方の信号部分を補正する部分補正手段とを備える。
【００１４】
この態様によれば、補正手段によって元画像信号が補正される際に、先ず、例えばプロセッサ、メモリ、コンパレータ等を有する補正量決定手段によって、算出された差分に応じた補正量が決定される。補正量は、元画像信号を構成する二つの画素に対応する二つの信号部分のうち、一方の信号部分に係る階調が、他方の信号部分に係る階調に近付くように補正するための値として決定される。また、このような補正量は、算出することで決定されてもよいし、予め設定されたテーブル等を用いて決定されてもよい。尚、ここでの「信号部分」とは、元画像信号を構成する個々の画素信号或いは元画素信号を意味している。即ち、画像信号は、複数の画素に対応する複数の信号部分（或いは画素信号）の集合体ということもできる。
【００１５】
続いて、例えばプロセッサ、メモリ、加算器等を有する部分補正手段により、決定された補正量に基づいて、一方の信号部分が補正される。ここでの補正は、典型的には、補正量が一方の画像信号に加算又は減算されることで行われる。一方の信号部分が補正されることで、隣接する画素間における電位差は小さくなる。よって、ディスクリネーションラインの発生を防止することが可能である。
【００１６】
本態様では特に、差分に応じた補正量を決定することで、より確実に元画像信号を補正することを可能としている。従って、表示の際のディスクリネーションラインの発生をより確実に防止し、画質を向上させることが可能である。
【００１７】
上述した補正手段が補正量決定手段及び部分補正手段を備える態様では、前記補正量決定手段は、前記算出された差分に所定の補正係数を乗ずることで、前記補正量を算出するように構成してもよい。
【００１８】
このように構成すれば、補正量決定手段によって、算出された差分に所定の補正係数が乗ぜられることにより、上述した補正量が算出される。所定の補正係数は、例えば所定の補正係数を用いた補正を行いつつ、実際の表示をシミュレートすることで求められ、予め設定される。尚、設定される所定の補正係数は１つに限られなくともよく、例えば差分の大きさ等に応じて、複数の補正係数が使い分けられるようにしてもよい。
【００１９】
所定の補正係数を用いることにより、補正量をより容易に決定することができる。従って、表示の際のディスクリネーションラインの発生をより確実に防止し、画質を向上させることが可能となる。
【００２０】
上述した補正量決定手段が所定の補正係数を用いる態様では、前記所定の補正係数は、前記二つの画素が一の方向に隣接する場合及び前記一の方向と交わる他の方向に隣接する場合で別々に設定されているように構成してもよい。
【００２１】
このように構成すれば、補正量が決定される際に、画素が隣接する方向によって、相異なる所定の補正係数が用いられる。例えば一の画素に対して、上下左右の４方向から他の画素が隣接している場合には、上下方向と左右方向とで所定の補正係数が２つ設定され、補正量が決定される。
【００２２】
上述したように補正量を決定することで、隣接する方向によって特性が異なる場合に、より適切な補正量が決定される。例えば、電気光学装置において、走査線毎に画像信号の極性を反転させて駆動を行う場合（所謂、１Ｈ反転駆動方式の場合）には、走査線と交わる方向に隣接する画素間においてディスクリネーションラインが発生しやすくなる。このような場合には、画素が走査線と交わる方向に隣接する場合の補正係数を大きくすることで、より適切な補正量が決定される。
【００２３】
より適切な補正量が決定されることで、表示の際のディスクリネーションラインの発生は効果的に防止される。従って、画質を向上させることが可能となる。
【００２４】
上述した補正手段が補正量決定手段及び部分補正手段を備える態様では、前記補正量決定手段は、前記一方の信号部分として、前記二つの信号部分のうち前記階調が明るい方又は暗い方のいずれかを選択するように設定されているように構成してもよい。
【００２５】
このように構成すれば、補正量決定手段では、一方の信号部分として、階調が明るい方又は暗い方のうち、設定された方の信号部分が選択される。即ち、補正が行われる信号部分を、階調に基づいて選択するように設定される。例えば、階調が明るい方を選択するように設定した場合には、一方の信号部分の階調が暗い方に近付くように補正されるため、表示は全体として暗くなる方向に補正される。
【００２６】
上述したように、補正する信号部分を階調によって選択するようにすることで、補正後の表示を明るくするか又は暗くするかを選択できる。よって、例えば補正前の元画像信号による表示が暗いような場合には、一方の信号として、階調が暗い方を選択するように設定することで、補正後の表示を明るくすることが可能である。
【００２７】
以上説明したように、本態様に係る駆動装置によれば、画質を向上させると共に、表示の際の明るさを調整することが可能である。加えて、一方の信号部分を選択する処理が容易となるため、装置構成等の複雑化を防止することも可能である。
【００２８】
上述した補正手段が補正量決定手段及び部分補正手段を備える態様では、前記補正量決定手段は、前記一方の信号部分として、前記二つの信号部分のうち前記階調が明るい方又は暗い方のいずれかを選択する選択手段を有するように構成してもよい。
【００２９】
このように構成すれば、補正量決定手段に有された選択手段によって、一方の信号部分として、階調が明るい方又は暗い方のいずれかの信号部分が選択される。選択手段は、例えば差分を算出した信号部分の階調等に応じて、明るい方又は暗い方のいずれかを選択する。即ち、状況に応じて、より好適な選択を行うようにすることが可能となる。よって、補正量決定手段では、より適切な補正量が決定されることとなる。
【００３０】
上述した選択手段による信号部分の選択において、いずれの信号部分を選択するかは、例えば駆動する電気光学装置の特性を選択手段に認識させることで、駆動開始時に設定されるようにしてもよいし、入力される画像信号に基づいて、選択手段がリアルタイムで判断するようにしてもよい。
【００３１】
以上説明したように、本態様に係る駆動装置によれば、補正量決定手段が選択手段を有していることで、より適切な補正量を決定することが可能となる。よって、表示の際のディスクリネーションラインの発生を効果的に防止することが可能となる。従って、画質を向上させることが可能である。
【００３２】
上述した補正手段が補正量決定手段及び部分補正手段を備える態様では、前記算出手段は、前記二つの信号部分に係る前記階調が、いずれも所定範囲内である場合に、前記差分を算出するように構成してもよい。
【００３３】
このように構成すれば、算出手段によって差分の算出が行われる際に、差分を算出する二つの信号部分に係る階調が、所定範囲内であるか否かが判定される。そして、二つの信号部分に係る階調がいずれも所定範囲内である場合に、差分が算出される。即ち、二つの信号部分に係る前記階調の少なくとも一方が、所定範囲内でない場合には、算出手段は差分を算出せず、補正も行われない。尚、ここでの「所定範囲」とは、階調が範囲外である場合には、補正による効果が薄い又は補正によって画質が低下してしまうような範囲を意味している。所定範囲は、例えば電位差によるディスクリネーションラインの発生率をシミュレートすることにより求められる。
【００３４】
信号部分に係る階調が所定範囲内であるか否かが判定されることで、効果が薄い又は補正によって画質が低下してしまうような場合には、補正を行わないようにすることが可能である。即ち、補正による効果が十分に得られるような場合にのみ、補正を行うようにすることが可能である。これにより、画質を効果的に向上させることが可能である。
【００３５】
また、上述したように、二つの信号部分に係る前記階調の少なくとも一方が、所定範囲内でない場合には、算出手段は差分を算出せず、補正も行われないため、装置にかかる負荷を低減させることも可能である。
【００３６】
上述した補正手段が補正量決定手段及び部分補正手段を備える態様では、前記二つの信号部分のうち、少なくとも一方を記憶する記憶手段を更に備え、前記算出手段は、前記記憶手段に記憶された少なくとも一方の信号部分を用いて、前記差分を算出するように構成してもよい。
【００３７】
このように構成すれば、差分を算出する二つの信号部分のうち少なくとも一方が、例えばラインバッファメモリ、フレームバッファメモリ等を有する記憶手段によって記憶されている。そして、差分を算出する際には、記憶手段に記憶された少なくとも一方の信号部分を用いて差分が算出される。より具体的には、例えば一方の画像信号が記憶されている場合、記憶された画像信号と入力された画像信号との差分が算出される。また、二つの画像信号が記憶されている場合は、記憶されている二つの画像信号から差分を算出する。
【００３８】
例えば、電気光学装置における走査線と交わる方向で隣接する画素について差分を算出しようとする場合には、信号部分の供給されるタイミングが画素間で異なる。よって、二つの信号部分から直接（即ち、いずれの信号部分も記憶させずに）差分を算出することが困難である。
【００３９】
しかるに本態様では特に、上述したように、記憶手段によって、少なくとも一方の信号部分を記憶させておくことが可能である。このため、信号部分の供給されるタイミングが画素間で異なる場合であっても、容易に差分を算出することが可能となる。よって、補正手段において、確実に信号部分を補正することができる。従って、表示の際のディスクリネーションラインの発生を確実に防止し、画質を向上させることが可能である。
【００４０】
本発明の駆動方法は上記課題を解決するために、複数の画素が配列されてなる画素領域で表示されるべき画像を画素単位で示す元画像信号を補正し、補正後画像信号として前記画素領域を有する電気光学装置に供給することで、前記電気光学装置を駆動する駆動方法であって、前記複数の画素のうち相隣接する二つの画素間における、前記元画像信号の階調の差分を算出する算出工程と、前記算出された差分が小さくなるように前記元画像信号を補正する補正工程と、該補正された元画像信号を補正後画像信号として、前記電気光学装置に所定方式で供給する信号供給工程とを備える。
【００４１】
本発明に係る駆動方法によれば、上述した本発明の駆動装置の場合と同様に、隣接する画素間において、元画像信号の階調の差分を算出することで、好適に元画像信号を補正することが可能である。よって、表示の際のディスクリネーションラインの発生を防止し、画質を向上させることが可能である。
【００４２】
尚、本発明の駆動方法においても、上述した本発明の駆動装置における各種態様と同様の各種態様を採ることが可能である。
【００４３】
本発明の電気光学装置は上記課題を解決するために、上述した本発明の駆動装置（但し、その各種態様も含む）を具備する。
【００４４】
本発明の電気光学装置によれば、上述した本発明に係る駆動装置を具備してなるので、表示の際のディスクリネーションラインの発生を効果的に防止し、画質を向上させることが可能である。
【００４５】
本発明の電子機器は上記課題を解決するために、上述した本発明の電気光学装置（但し、その各種態様も含む）を具備する。
【００４６】
本発明の電子機器によれば、上述した本発明に係る電気光学装置を具備してなるので、高品質な表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置等も実現することも可能である。
【００４７】
本発明の作用及び他の利得は次に説明する実施するための最良の形態から明らかにされる。
【発明を実施するための最良の形態】
【００４８】
以下では、本発明の実施形態について図を参照しつつ説明する。
【００４９】
＜電気光学装置＞
先ず、本実施形態に係る駆動装置によって駆動される電気光学装置の構成について、図１から図３を参照して説明する。以下では、駆動回路内蔵型のＴＦＴ（Thin Film Transistor）アクティブマトリクス駆動方式の液晶装置を例にとる。
【００５０】
本実施形態に係る電気光学装置の全体構成について、図１及び図２を参照して説明する。ここに図１は、本実施形態に係る液晶装置の構成を示す平面図であり、図２は、図１のＨ−Ｈ´線断面図である。
【００５１】
図１及び図２において、本実施形態に係る液晶装置では、ＴＦＴアレイ基板１０と対向基板２０とが対向配置されている。ＴＦＴアレイ基板１０は、例えば石英基板、ガラス基板、シリコン基板等の透明基板である。対向基板２０も、ＴＦＴアレイ基板１０と同様に、透明基板である。ＴＦＴアレイ基板１０と対向基板２０との間に液晶層５０が封入されている。ＴＦＴアレイ基板１０と対向基板２０とは、複数の画素電極が設けられた画像表示領域１０ａの周囲に位置するシール領域に設けられたシール材５２により相互に接着されている。
【００５２】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、基板間ギャップ）を所定値とするためのグラスファイバ或いはガラスビーズ等のギャップ材が散布されている。
【００５３】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００５４】
周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００５５】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００５６】
図２において、ＴＦＴアレイ基板１０上には、画素スイッチング用のＴＦＴや走査線、データ線等の配線が形成された後の画素電極９ａ上に、配向膜が形成されている。画素電極９ａは、ＩＴＯ（Indium Tin Oxide）膜などの透明導電膜からなり、配向膜は、ポリイミド膜などの有機膜からなる。他方、対向基板２０上には、格子状又はストライプ状の遮光膜２３が形成された後に、その全面に亘って対向電極２１が設けられており、更には最上層部分に配向膜が形成されている。対向電極２１は、ＩＴＯ膜などの透明導電膜からなり、配向膜は、ポリイミド膜などの有機膜からなる。このように構成され、画素電極９ａと対向電極２１とが対面するように配置されたＴＦＴアレイ基板１０と対向基板２０との間には、液晶層５０が形成されている。液晶層５０は、例えば一種又は数種類のネマティック液晶を混合した液晶からなり、これら一対の配向膜間で所定の配向状態をとる。
【００５７】
尚、図１及び図２に示したＴＦＴアレイ基板１０上には、これらのデータ線駆動回路１０１、走査線駆動回路１０４等の駆動回路に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００５８】
次に、本実施形態に係る電気光学装置の画素部の電気的な構成について、図３を参照して説明する。ここに図３は、本実施形態に係る液晶装置の画像表示領域を構成するマトリクス状に形成された複数の画素における各種素子、配線等の等価回路図である。
【００５９】
図３において、画像表示領域１０ａを構成するマトリクス状に形成された複数の画素の各々には、画素電極９ａ及びＴＦＴ３０が形成されている。ＴＦＴ３０は、画素電極９ａに電気的に接続されており、本実施形態に係る液晶装置の動作時に画素電極９ａをスイッチング制御する。画像信号が供給されるデータ線６ａは、ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００６０】
ＴＦＴ３０のゲートに走査線３ａが電気的に接続されており、本実施形態に係る液晶装置は、所定のタイミングで、走査線３ａにパルス的に走査信号Ｇ１、Ｇ２、・・・、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、・・・、Ｓｎが所定のタイミングで書き込まれる。画素電極９ａを介して電気光学物質の一例としての液晶に書き込まれた所定レベルの画像信号Ｓ１、Ｓ２、・・・、Ｓｎは、対向基板に形成された対向電極との間で一定期間保持される。
【００６１】
液晶層５０（図２参照）を構成する液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶装置からは画像信号に応じたコントラストをもつ光が出射される。
【００６２】
ここで保持された画像信号がリークすることを防ぐために、画素電極９ａと対向電極２１（図２参照）との間に形成される液晶容量と並列に蓄積容量７０が付加されている。蓄積容量７０は、画像信号の供給に応じて各画素電極９ａの電位を一時的に保持する保持容量として機能する容量素子である。蓄積容量７０の一方の電極は、画素電極９ａと並列してＴＦＴ３０のドレインに接続され、他方の電極は、定電位となるように、電位固定の容量線３００に接続されている。蓄積容量７０によれば、画素電極９ａにおける電位保持特性が向上し、コントラスト向上やフリッカの低減といった表示特性の向上が可能となる。
【００６３】
以上説明したように、本実施形態に係る電気光学装置では、画素毎に設けられた画素電極９ａが、走査線が伸びる方向（即ち、図中のＸ方向）、及び走査線と交わる方向（即ち、図中のＹ方向）で隣接するように、マトリクス状に配置されている。
【００６４】
＜駆動装置＞
次に、上述した電気光学装置を駆動する、本実施形態に係る駆動装置の構成及び動作について、図４から図１２を参照して説明する。
【００６５】
先ず、本実施形態に係る駆動装置と上述した電気光学装置との接続構成について、図４を参照して説明する。ここに図４は、本実施形態に係る駆動装置と電気光学装置との接続構成を示す斜視図である。
【００６６】
図４において、本実施形態に係る駆動装置１００は、図１及び図２に示したデータ線駆動回路１０１に対して、補正後の画像信号を所定フォーマットで供給する装置として構築されている。より具体的には、外部回路接続端子１０２にフレキシブルコネクタ２００を介して接続される、液晶パネルに対する外部回路或いは装置として構築される。即ち、本実施形態における駆動装置１００は、液晶パネルに対する画像信号供給装置或いは回路とも呼べるものとして構築されている。更に、補正を伴わない元画像信号を供給する画像信号供給装置に内蔵される又はその後段に配置される補正回路或いは装置とも呼べるものとして構築されてもよい。加えて、駆動装置は、本実施形態に独自の補正に合わせて、ガンマ補正、シリアル−パラレル変換等の既存の補正や処理を実行するように構成されてもよい。
【００６７】
次に、本実施形態に係る駆動装置の構成及び動作について詳細に説明する。以下では、差分を算出する信号部分が供給される二つの画素電極９ａが、互いにどの方向で隣接しているかによって、装置の構成及び動作を別々に説明する。尚ここでは、差分を算出する二つの信号部分のうち、階調の暗い方の信号部分に補正が行われる（即ち、予め暗い方の信号部分を補正するように設定されている）場合を例にとる。
【００６８】
先ず、差分を算出する二つの画素電極９ａが、走査線の伸びる方向（即ち、図３におけるＸ方向）で隣接している場合について、図５から図７を参照して説明する。ここに図５は、Ｘ方向の補正を行う駆動装置の構成を示すブロック図であり、図６は、Ｘ方向の補正を行う駆動装置の動作を示すフローチャートである。また図７は、Ｘ方向で相隣接する二つの画素電極の位置関係を示す平面図である。
【００６９】
図５において、本実施形態に係る駆動装置は、本発明の「算出手段」の一例であるリミッタ１１０及び算出部１２０と、本発明の「補正量決定手段」の一例である補正量決定部１３０と、本発明の「補正手段」の一例である加算部１４０とを備えて構成されている。
【００７０】
リミッタ１１０及び算出部１２０は、例えば演算回路やメモリ等を備えて構成されている。リミッタ１１０は、入力される二つの信号部分に係る階調を検出し、それらの信号部分を算出部１２０に対して出力するか否かを決定する。算出部１２０は、入力される二つの信号部分の差分を算出し、一つの差分情報として補正量決定部１３０に出力する。
【００７１】
補正量決定部１３０は、演算回路やメモリ等を備えて構成されており、入力された差分に基づいて、補正量を決定する。補正量は、例えば数式等を用いることで算出されてもよいし、予め設定されたテーブル等に基づいて決定されてもよい。
【００７２】
加算部１４０は、演算回路やメモリ等を備えて構成されており、入力された信号部分に対し、補正量決定部１３０において決定された補正量を加算することで補正する。そして、補正した信号部分を、上述した電気光学装置に供給する。
【００７３】
図６において、本実施形態に係る駆動装置の動作時には、先ず装置に元画像信号が入力される（ステップＳ１１：ＹＥＳ）。元画像信号は、上述したように、電気光学装置の走査線３ａ（図３参照）毎に順次入力される。続いて、入力された元画像信号から、ｎ−１番目の信号部分及びｎ番目の信号部分を抽出する（ステップＳ１２）。即ち、図７に示すように、画像表示領域１０ａ（図１参照）において、左側からＸ方向に数えてｎ−１番目に位置する画素電極９ａに供給される信号部分及びｎ番目に位置する画素電極９ａに供給される信号部分が抽出される。
【００７４】
抽出された二つの信号部分は夫々、リミッタ１１０に入力される。リミッタ１１０は、二つの信号部分の階調がいずれも所定範囲内であるか否かを判定する（ステップＳ１３）。所定範囲は、階調が範囲外である場合には、補正による効果が薄い又は補正によって画質が低下してしまうような範囲として、例えば電位差によるディスクリネーションラインの発生率をシミュレートすることにより求められている。階調がいずれも所定範囲内である場合には（ステップＳ１３：ＹＥＳ）、二つの信号部分は夫々、算出部１２０へ出力される。他方で、階調の少なくとも一方が所定範囲外である場合には（ステップＳ１３：ＮＯ）、二つの信号部分は出力されない。即ち、後述する差分の算出や、信号部分の補正は行われない。
【００７５】
リミッタ１１０から出力された二つの信号部分が算出部１２０に入力されると、算出部１２０は、二つの信号部分の階調の差分を算出する（ステップＳ１４）。算出された差分は、補正量決定部１３０に入力される。補正量決定部１３０は、差分に所定の補正係数をかけることによって補正量を決定する（ステップＳ１５）。所定の補正係数は、ｎ番目の信号部分に係る階調及びｎ−１番目の信号部分に係る階調のいずれの方が明るいかによって異なる値をとる。例えば、ｎ番目の信号部分に係る階調の方が明るい場合は、所定の補正係数はｋ１とされ、ｎ−１番目の信号部分に係る階調の方が明るい場合は、所定の補正係数はｋ２とされる。
【００７６】
ここで、ｎ番目の信号部分に係る階調をＬｎ、ｎ−１番目の信号部分に係る階調をＬｎ−１とすると、ｎ番目の信号部分に係る階調Ｌｎの方が明るい場合の補正量Ａ１は、例えば以下に示す数式（１）によって決定される。
【００７７】
Ａ１＝（Ｌｎ−Ｌｎ−１）×ｋ１    ・・・（１）
また、ｎ−１番目の信号部分に係る階調Ｌｎ−１の方が明るい場合の補正量Ａ２は、例えば以下に示す数式（２）によって決定される。
【００７８】
Ａ２＝（Ｌｎ−１−Ｌｎ）×ｋ２    ・・・（２）
このように決定された補正量は、加算部１４０に出力される。加算部１４０は、ｎ番目の信号部分及びｎ−１番目の信号部分のうち、階調が暗い方の信号部分に対して、補正量を加算する（ステップＳ１６）。補正された信号部分は、補正後画像信号として電気光学装置に出力される（ステップＳ１７）。
【００７９】
上述したような動作が、Ｘ方向で隣接する全ての画素電極９ａ間で繰り返し行われることにより、Ｘ方向の補正が行われる。この補正によって、Ｘ方向で隣接する画素間に供給される画像信号の電位差は小さくなる。従って、電気光学装置の画像表示領域１０ａにおいて発生するディスクリネーションラインを防止することができ、画質を向上させることが可能である。
【００８０】
このように図５から図７を参照して説明した駆動装置は、図１及び図２に示したデータ線駆動回路１０１に対して、補正後の画像信号を供給する装置として構築されている。但し、駆動装置は、データ線駆動回路１０１を含んで構築されてもよく、更に、これに加えて又は代えて図１及び図２に示した走査線駆動回路１０４を含んで構築されてもよい。いずれにせよ、図５に示した画像信号を補正する回路部分を含む限りにおいて、本実施形態による効果は、同様に得られる。
【００８１】
次に、差分を算出する二つの画素電極９ａが、走査線と交わる方向（即ち、図３におけるＹ方向）で隣接している場合について、図８から図１０を参照して説明する。ここに図８は、Ｙ方向の補正を行う駆動装置の構成を示すブロック図であり、図９は、Ｙ方向の補正を行う駆動装置の動作を示すフローチャートである。また図１０は、Ｙ方向で相隣接する二つの画素電極の位置関係を示す平面図である。尚、以下では、上述した画素電極９ａがＸ方向で隣接する場合の補正を行う駆動装置と重複する部分の説明は、適宜省略するものとする。
【００８２】
図８において、画素電極９ａがＹ方向で隣接する場合の補正を行う駆動装置は、上述した画素電極９ａがＸ方向で隣接する場合の補正を行う駆動装置に加えて、本発明の「記憶手段」の一例である記憶部１５０を備えて構成されている。
【００８３】
記憶部１５０は、ラインバッファ等のメモリ装置であり、例えば直前に供給された１ライン（即ち、１行分の画素）に供給される信号部分を記憶する。記憶された信号部分は、命令に応じて読み出すことが可能である。尚ここでは、記憶部１５０として、１つのラインバッファが備えられている場合について説明するが、複数のラインバッファが備えられるように構成してもよい。
【００８４】
図９において、画素電極９ａがＹ方向で隣接する場合の補正を行う駆動装置の動作時には、先ず装置に元画像信号が入力される。元画像信号は、上述したように、電気光学装置の走査線３ａ（図３参照）毎に順次入力される。ここで、ｎ−１ライン目の信号部分が入力されると（ステップＳ２１：ＹＥＳ）、記憶部１５０は、ｎ−１ライン目の信号部分を記憶する（ステップＳ２２）。即ち、図１０に示すように、画像表示領域１０ａ（図１参照）において、上からＹ方向に数えてｎ−１番目に位置する画素電極９ａに供給される信号部分が、記憶部１５０に記憶される。
【００８５】
続いて、ｎライン目の信号部分が入力されると（ステップＳ２３：ＹＥＳ）、上述したステップＳ２２において記憶されたｎ−１ライン目の信号部分を読み出す（ステップＳ２４）。このような処理を行うことで、供給されるタイミングの異なる信号部分を、同時に処理することが可能となる。即ち、ｎ−１ライン目の一の画素電極に供給される信号部分と、一の画素電極に隣接するｎライン目の他の画素電極に供給される信号部分とを、同時に処理することが可能となる。
【００８６】
以降は、上述した画素電極９ａがＸ方向で隣接する場合と同様にステップＳ１３からステップＳ１７までの工程が行われる。よって、Ｙ方向で隣接する画素間に供給される画像信号の電位差は小さくなる。従って、電気光学装置の画像表示領域１０ａにおいて発生するディスクリネーションラインを防止することができ、画質を向上させることが可能である。
【００８７】
但し、ステップＳ１５における補正量の決定には、異なる所定の補正係数が用いられる。例えば、ｎライン目の信号部分に係る階調の方が明るい場合は、所定の補正係数はｋ３とされ、ｎ−１ライン目の信号部分に係る階調の方が明るい場合は、所定の補正係数はｋ４とされる。よって、ｎライン目の信号部分に係る階調をＬ２ｎ、ｎ−１ライン目の信号部分に係る階調をＬ２ｎ−１とすると、ｎライン目の信号部分に係る階調Ｌ２ｎの方が明るい場合の補正量Ａ３は、例えば以下に示す数式（３）によって決定される。
【００８８】
Ａ３＝（Ｌ２ｎ−Ｌ２ｎ−１）×ｋ３    ・・・（３）
また、ｎ−１ライン目の信号部分に係る階調Ｌ２ｎ−１の方が明るい場合の補正量Ａ４は、例えば以下に示す数式（４）によって決定される。
【００８９】
Ａ４＝（Ｌ２ｎ−１−Ｌ２ｎ）×ｋ４    ・・・（４）
このように、画素電極９ａがＸ方向に隣接する場合とＹ方向に隣接する場合とで、異なる補正係数を用いることにより、隣接する方向による、ディスクリネーションラインの発生率の違いに対応した補正を行うことが可能となる。例えば、走査線３ａ（図３参照）毎に画像信号の極性を反転させて駆動を行う場合（所謂、１Ｈ反転駆動方式の場合）は、Ｘ方向で隣接する画素電極９ａ間の電位差と比較して、Ｙ方向で隣接する画素電極９ａ間の電位差が大きくなる。よって、上述した補正係数ｋ１及びｋ２に対して、ｋ３及びｋ４を大きく設定しておけば、より効果的な補正が行える。同様に、データ線６ａ（図３参照）毎に画像信号の極性を反転させて駆動を行う場合（所謂、１Ｓ反転駆動方式の場合）は、Ｙ方向で隣接する画素電極９ａ間の電位差と比較して、Ｘ方向で隣接する画素電極９ａ間の電位差が大きくなる。よって、上述した補正係数ｋ３及びｋ４に対して、ｋ１及びｋ２を大きく設定しておけば、より効果的な補正が行える。
【００９０】
また、上述した画素電極９ａがＸ方向に隣接する場合の補正、及びＹ方向に隣接する場合の補正は、典型的には両方とも行われるが、いずれか一方のみを行う場合でも効果を得ることは可能である。よって、例えば１Ｈ反転駆動方式の場合は、Ｙ方向に隣接する場合の補正のみを行うようにし、１Ｓ反転駆動方式の場合は、Ｘ方向に隣接する場合の補正のみを行うようにしてもよい。このように補正を行うようにすることで、装置の負荷を低減しつつ、効果的な補正を行うことが可能となる。
【００９１】
このように図８から図１０を参照して説明した駆動装置は、図１及び図２に示したデータ線駆動回路１０１に対して、補正後の画像信号を供給する装置として構築されている。但し、駆動装置は、データ線駆動回路１０１を含んで構築されてもよく、更に、これに加えて又は代えて図１及び図２に示した走査線駆動回路１０４を含んで構築されてもよい。いずれにせよ、図８に示した画像信号を補正する回路部分を含む限りにおいて、本実施形態による効果は、同様に得られる。
【００９２】
更に、本実施形態に係る駆動装置には、差分を算出する二つの信号部分のち、いずれの信号部分に補正を行うかを選択する選択部が備えられてもよい。以下では、上述した駆動装置の変形例として、選択部を備えた駆動装置について、図１１及び図１２を参照して説明する。ここに図１１は、本実施形態に係る駆動装置の変形例の構成を示すブロック図であり、図１２は、本実施形態に係る駆動装置の変形例の動作を示すフローチャートである。尚ここでは、説明の便宜上、画素電極９ａがＸ方向に隣接する場合の補正についてのみ説明し、Ｙ方向で隣接する場合の補正については説明を省略する。
【００９３】
図１１において、本実施形態に係る駆動装置の変形例では、図５で説明した駆動装置に加えて、本発明の「選択手段」の一例である選択部１６０を備えて構成されている。選択部１６０は、例えば演算回路やメモリ等を備えて構成されており、リミッタ１１０から入力される二つの信号部分を算出部１２０に出力することに加えて、加算部１４０に対して、二つの信号部分に基づいて生成された選択情報信号を出力する。
【００９４】
図１２において、本実施形態に係る駆動装置の変形例の動作時には、先ず図６で説明したように、ステップＳ１１からステップＳ１３の工程が行われる。ここで、リミッタ１１０から出力された二つの信号部分は、選択部１６０に入力される。選択部１６０は、入力された二つの信号部分等に基づいて、入力された二つの信号部分のうち、いずれの信号部分を補正するかを選択する。例えば、いずれの信号部分の階調も暗く、補正前の元画像信号によって表示される画像が暗いと判断した場合には、階調が暗い方の信号部分を補正するように選択する。これにより、補正後の画像信号によって表示される画像は、明るくなるように補正される。
【００９５】
選択部１６０は、いずれの信号部分を補正するか選択すると、選択情報信号を加算部１４０に出力する（ステップＳ３２）。加算部１４０は、選択情報信号によって、いずれの信号部分を補正するかを認識し、選択された信号部分を補正する。尚、暗い方の信号部分が補正される場合には、上述したように補正量は加算されるが、明るい方の信号部分が補正される場合には、補正量は信号部分から減算される。或いは、補正量決定手段１３０によって、負の補正量が決定される。選択情報信号は、信号部分が選択部１６０に入力される度に出力されてもよいし、所定期間毎又は駆動開始時のみというように、所定のタイミングで出力されるようにしてもよい。
【００９６】
選択情報信号が出力された後は、図６で説明した場合と同様に、ステップＳ１４からステップＳ１７までの工程が行われる。このように、駆動装置が選択部１６０を備えることにより、画素電極９ａにおけるディスクリネーションラインの発生を防止することに加えて、明るさの調整を行うことが可能となる。よって、より効果的に画質を向上させることが可能となる。
【００９７】
以上説明したように、本実施形態に係る駆動装置では、隣接する画素電極９ａ間に供給される二つの信号部分について、階調の差分を用いて補正を行うことにより、効果的にディスクリネーションラインの発生を防止することが可能となる。従って、電気光学装置における表示画質を向上させることが可能となる。尚、上述した実施形態では、二つの信号部分のうち、一方の信号部分のみを補正する場合について説明したが、両方の信号部分を補正するようにしてもよい。また、上述したような信号部分の補正は、電気光学装置が駆動されている間は常に行われるようにしてもよいし、例えば切り替えスイッチ等によって、補正をするか否かを選択できるように構成してもよい。即ち、ユーザ等の判断に応じて、補正するか否かを選択できるように構成してもよい。
【００９８】
＜電子機器＞
次に、上述した電気光学装置である液晶装置を各種の電子機器に適用する場合について説明する。ここに図１３は、プロジェクタの構成例を概略的に示す平面図である。以下では、この液晶装置をライトバルブとして用いたプロジェクタについて説明する。
【００９９】
図１３に示されるように、プロジェクタ１１００内部には、ＲＧＢの３原色に夫々対応したＬＥＤ１１０Ｒ、１１０Ｇ及び１１０Ｂが設けられている。ＬＥＤ１１０Ｒ、１１０Ｇ及び１１０Ｂは、例えば６０Ｈｚの周期で夫々順次に光を投射する。ＬＥＤ１１０Ｒ、１１０Ｇ及び１１０Ｂから射出された投射光は、夫々合成プリズム３００に入射した後、ライトバルブとしての液晶パネル２００に対して出射される。
【０１００】
液晶パネル２００の構成は、上述した液晶装置と同等であり、画像信号処理回路から供給される信号でそれぞれ駆動されるものである。そして、液晶パネル２００によって変調された光は、投射レンズ４００を介して投影される。これにより、スクリーン等にカラー画像が投写されることとなる。
【０１０１】
本実施形態に係るプロジェクタ１１００では、Ｒ、Ｇ、Ｂの各原色に対応するＬＥＤ１１０Ｒ、１１０Ｇ及び１１０Ｂが設けられているため、カラーフィルタを設けなくともよい。よって、コストの削減が可能な他、投射光がカラーフィルタを通過しないため、高輝度が得られる。
【０１０２】
尚、図１３を参照して説明した電子機器の他にも、モバイル型のパーソナルコンピュータや、携帯電話、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【０１０３】
本発明は、上述した実施形態に限られるものではなく、請求の範囲及び明細書全体から読み取れる発明の要旨或いは思想に反しない範囲で適宜変更可能であり、そのような変更を伴う駆動装置及び駆動方法、並びに電気光学装置及び電子機器もまた本発明の技術的範囲に含まれるものである。
【図面の簡単な説明】
【０１０４】
【図１】実施形態に係る液晶装置の全体構成を示す平面図である。
【図２】図１のＨ−Ｈ´線断面図である。
【図３】実施形態に係る液晶装置の画像表示領域を構成するマトリクス状に形成された複数の画素における各種素子、配線等の等価回路図である。
【図４】実施形態に係る駆動装置と電気光学装置との接続構成を示す斜視図である。
【図５】Ｘ方向の補正を行う駆動装置の構成を示すブロック図である。
【図６】Ｘ方向の補正を行う駆動装置の動作を示すフローチャートである。
【図７】Ｘ方向で相隣接する二つの画素電極の位置関係を示す平面図である。
【図８】Ｙ方向の補正を行う駆動装置の構成を示すブロック図である。
【図９】Ｙ方向の補正を行う駆動装置の動作を示すフローチャートである。
【図１０】Ｙ方向で相隣接する二つの画素電極の位置関係を示す平面図である。
【図１１】実施形態に係る駆動装置の変形例の構成を示すブロック図である
【図１２】実施形態に係る駆動装置の変形例の動作を示すフローチャートである。
【図１３】電気光学装置を適用した電子機器の一例たるプロジェクタの構成を示す平面図である。
【符号の説明】
【０１０５】
３ａ…走査線、６ａ…データ線、９ａ…画素電極、１０…ＴＦＴアレイ基板、１０ａ…画像表示領域、２０…対向基板、２１…対向電極、３０…ＴＦＴ、５０…液晶層、１０１…データ線駆動回路、１０２…外部回路接続端子、１１０…リミッタ、１２０…算出部、１３０…補正量決定部、１４０…加算部、１５０…記憶部、１６０…選択部、２００…フレキシブルコネクタ
【図１】
2009104053.tif 000003
【図２】
2009104053.tif 000004
【図３】
2009104053.tif 000005
【図４】
2009104053.tif 000006
【図５】
2009104053.tif 000007
【図６】
2009104053.tif 000008
【図７】
2009104053.tif 000009
【図８】
2009104053.tif 000010
【図９】
2009104053.tif 000011
【図１０】
2009104053.tif 000012
【図１１】
2009104053.tif 000013
【図１２】
2009104053.tif 000014
【図１３】
2009104053.tif 000015